(57)【要約】【課題】ワイピング動作時に液体噴射ヘッドのノズル形成面から掻き取った液体の飛散を抑制可能な液体噴射装置を提供すること。【解決手段】対象物に向けて液滴を吐出する記録ヘッド９と、この記録ヘッド９に対して相対移動することにより、ノズル形成面１９を払拭するワイピング部材２１と、記録ヘッド９近傍であって、ワイピング部材２１との相対移動方向下流側に設けられ、記録ヘッド９とワイピング部材２１との相対移動方向に沿って記録ヘッド９のノズル形成面１９より表面位置が変化する傾斜面３２を有する傾斜部材３１と、を有するインクジェット式記録装置であって、傾斜部材３１には、相対移動方向を側視して記録ヘッド９と重複する導入部３３が備えられ、記録ヘッド９のノズル形成面１９を払拭したワイピング部材２１が該導入部３３を介してノズル形成面１９から傾斜面３２へスムーズに移動するように構成した。【選択図】　　　　図４
2004098477.tif 000002
【特許請求の範囲】
【請求項１】
対象物に向けてノズル開口より液滴を吐出する液体噴射ヘッドと、
前記液体噴射ヘッドに対して相対移動することにより、該液体噴射ヘッドのノズル形成面を払拭するワイピング部材と、
前記液体噴射ヘッド近傍であって、前記ワイピング部材との相対移動方向下流側に設けられ、該液体噴射ヘッドとワイピング部材との相対移動方向に沿って当該液体噴射ヘッドのノズル形成面より表面位置が変化する傾斜面を有する傾斜部材と、
を有する液体噴射装置であって、
前記ワイピング部材を、前記液体噴射ヘッドのノズル形成面から前記傾斜部材の傾斜面へと案内するガイド手段が備えられていることを特徴とする、液体噴射装置。
【請求項２】
対象物に向けてノズル開口より液滴を吐出する液体噴射ヘッドと、
前記液体噴射ヘッドに対して相対移動することにより、該液体噴射ヘッドのノズル形成面を払拭するワイピング部材と、
前記液体噴射ヘッド近傍であって、前記ワイピング部材との相対移動方向下流側に設けられ、該液体噴射ヘッドとワイピング部材との相対移動方向に沿って当該液体噴射ヘッドのノズル形成面より表面位置が変化する傾斜面を有する傾斜部材と、
を有する液体噴射装置であって、
前記傾斜部材には、相対移動方向を側視して前記液体噴射ヘッドと重複する導入部が備えられ、前記液体噴射ヘッドのノズル形成面を払拭したワイピング部材が該導入部を介して前記液体噴射ヘッドのノズル形成面から前記傾斜部材の傾斜面へと移動するように構成したことを特徴とする、液体噴射装置。
【請求項３】
請求項２において、前記導入部は、前記液体噴射ヘッドの相対移動方向下流側における当該液体噴射ヘッドの幅内において部分的に重複するように構成されていることを特徴とする、液体噴射装置。
【請求項４】
請求項２または請求項３において、前記導入部は、前記液体噴射ヘッドのノズル形成面から突出しないように構成されていることを特徴とする、液体噴射装置。
【請求項５】
対象物に向けてノズル開口より液滴を吐出する液体噴射ヘッドと、
前記液体噴射ヘッドの外周を囲むヘッドカバーと、
前記液体噴射ヘッドに対して相対移動することにより、該液体噴射ヘッドのノズル形成面を払拭するワイピング部材と、
前記液体噴射ヘッド近傍であって、前記ワイピング部材との相対移動方向下流側に設けられ、該液体噴射ヘッドとワイピング部材との相対移動方向に沿って当該液体噴射ヘッドのノズル形成面より表面位置が変化する傾斜面を有する傾斜部材と、
を有する液体噴射装置であって、
前記液体噴射ヘッドのノズル形成面と前記傾斜部材の傾斜面とが連続的となるように連結した橋渡し部が備えられ、前記液体噴射ヘッドのノズル形成面を払拭したワイピング部材が該橋渡し部を介して前記液体噴射ヘッドのノズル形成面から前記傾斜部材の傾斜面へと移動するように構成したこと特徴とする、液体噴射装置。
【請求項６】
請求項５において、前記橋渡し部は、前記ヘッドカバーの一部を加工して構成したことを特徴とする、液体噴射装置。
【請求項７】
請求項１から請求項６のいずれか一項において、当該液体噴射装置は、インクジェット式記録装置であることを特徴とする、液体噴射装置。
【発明の詳細な説明】
【０００１】
【発明の属する技術分野】
本発明は、液体噴射ヘッドとして、例えば、液晶ディスプレー等のカラーフィルター製造に用いられる色剤噴射ヘッド、有機ＥＬディスプレーや面発光ディスプレー等の電極形成に用いられる電極材（導電ペースト）噴射ヘッド、バイオチップ製造に用いられる生体有機物噴射ヘッド、極少量の試料を噴射する精密ピペットとしての試料噴射ヘッド、被記録材にインク滴を吐出する記録ヘッド等を有する液体噴射装置、および該液体噴射装置の１形態としてのインクジェット式記録装置に関する。
【０００２】
【従来の技術】
液体噴射装置の１つとして、インクジェット式記録装置がある。このインクジェット式記録装置は、主走査方向（被記録材の幅方向）に往復移動するキャリッジに搭載され、被記録材に向けてインク滴を噴射する記録ヘッドと、被記録材を副走査方向（主走査方向と直交する方向）に精密送りする搬送ローラなどの紙送り手段を備え、記録ヘッドを主走査方向に移動させつつインク滴を噴射することによって記録（印刷）を行うように構成されている。
【０００３】
記録ヘッドは、圧力発生室で所定圧に加圧したインクをノズル形成面にあるノズル開口からインク滴として被記録材に向けて吐出する。このため、インクの粘度上昇や固化、また塵埃の付着によるノズルの目詰まり、さらにはインク流路内への気泡混入等によりインク吐出特性が変動してしまい、記録精度に問題をきたすことがある。
【０００４】
このために、当該インクジェット式記録装置においては、インクの吐出特性を一定に維持するための特性維持手段として、キャッピング手段、負圧発生手段およびワイピング手段を備えたものがある。
【０００５】
キャッピング手段は、インクジェット式記録装置の非使用時にキャッピング装置で記録ヘッドのノズル形成面を封止することによって外部から隔離し、ノズル開口のインクの乾燥や塵埃の付着を防いでいる。
【０００６】
また、ノズルの目詰まりや、インク流路内に気泡の混入等が生じた場合に、これらを除去する負圧発生手段を備えている。この負圧発生手段は、前記キャッピング装置でノズル形成面を封止した状態で、ノズルに負圧を作用させることで該ノズル開口からインクを強制的に吸引排出させて目詰まりや気泡混入を解消する。この負圧発生手段は、通常、インクジェット式記録装置を長期間不使用であった後に使用を再開する場合や、ユーザーが記録精度の低下を認識した場合等に所定の操作により実行できるようになっている。
【０００７】
上記のように目詰まりや気泡混入を解消させるためのインクの強制的な吸引排出処理を行うと、ノズル開口から排出されたインクが飛び散って記録ヘッドのノズル形成面に付着することがあるとともに、ノズル形成面に付着したインクに塵埃などの異物が吸着されやすい。このような場合にノズル形成面を払拭するワイピング手段を備えている。このワイピング手段はエラストマー等の弾性素材からなるワイピング部材を有し、該ワイピング部材の基端部側をホルダによって固定されて構成されている。そして、ワイピング部材の先端側（自由端部側）をノズル形成面に押し当てつつ、相対移動させて該ノズル形成面に付着したインク等を取り除いて清掃するようになっている。
【０００８】
このワイピング部材によるノズル形成面の清掃動作は、「ワイピング動作」と言われている。ここで図１０は、従来技術におけるワイピング動作を示す図面である（例えば、特許文献１参照。）。記録ヘッド９は、キャリッジ２の下底部に形成された開口部４１に嵌め込まれるようにして搭載されている。また、記録ヘッド９の移動方向下流側近傍には、移動方向に沿ってノズル形成面１９より表面位置がワイピング装置２０から遠ざかるように変化する傾斜面３２を有する傾斜部材３１が設けられている。
【０００９】
ワイピング部材２１は、通常、エラストマーなどの弾性素材により形成されており、記録ヘッド９のノズル形成面１９に対して相対的に移動可能なホルダ２９に支持固定されている。このワイピング部材２１は平行移動（図１０において紙面表裏方向）して、記録ヘッド９の移動経路上に進退可能に構成されている。そして、記録ヘッド９の移動経路上に進出した場合にノズル形成面１９を払拭する。
【００１０】
ワイピング部材２１は、記録ヘッド９のノズル形成面１９に摺接するために充分な干渉量（すなわち、記録ヘッド９の移動経路上における、ワイピング部材２１と記録ヘッド９との重複部分）をもって配置されており、払拭時には記録ヘッド９の移動経路上にワイピング部材２１が進出して静止した状態で記録ヘッド９が移動してくることにより、弾性素材で形成されたワイピング部材２１が該記録ヘッド９の端面に当接しつつ変形される。さらに記録ヘッド９が矢印方向に移動することによって、ワイピング部材２１の先端部がノズル形成面１９に当接して、該ノズル形成面１９に摺接しつつ、付着したインク等を拭い取る。このワイピング動作によって、ノズル形成面１９に付着していたインク等が取り除かれて、記録動作中に被記録材に飛散することを防止することが可能である。そして、記録ヘッド９のノズル形成面１９を通過したワイピング部材２１は、傾斜部材３１の傾斜面３２に沿って、徐々に復元される。
【００１１】
【特許文献１】
特開２００１−１８００１３号公報
【００１２】
【発明が解決しようとする課題】
記録ヘッド９のノズル形成面１９を通過したワイピング部材２１は、傾斜部材３１の傾斜面３２へと移動する。前記ノズル形成面１９と前記傾斜面３２との間には、公差寸法上の隙間４２があるため、ノズル形成面１９を払拭しインクが付着したワイピング部材２１がこの隙間４２に入り込み、もしくは隙間４２を通過する際に若干復元して、掻き取ったインクを飛び散らし、周辺部材を汚損するという問題があった。
【００１３】
本発明はこのような問題に鑑みなされたものであった、その課題は、ワイピング動作時に液体噴射ヘッドのノズル形成面から掻き取った液体の飛散を抑制可能な液体噴射装置を提供することにある。
【００１４】
【課題を解決するための手段】
上記課題を解決するため、本発明の第一の態様は、対象物に向けてノズル開口より液滴を吐出する液体噴射ヘッドと、前記液体噴射ヘッドに対して相対移動することにより、該液体噴射ヘッドのノズル形成面を払拭するワイピング部材と、前記液体噴射ヘッド近傍であって、前記ワイピング部材との相対移動方向下流側に設けられ、該液体噴射ヘッドとワイピング部材との相対移動方向に沿って当該液体噴射ヘッドのノズル形成面より表面位置が変化する傾斜面を有する傾斜部材と、を有する液体噴射装置であって、前記ワイピング部材を、前記液体噴射ヘッドのノズル形成面から前記傾斜部材の傾斜面へと案内するガイド手段が備えられていることを特徴とする。
【００１５】
この特徴によれば、ワイピング部材を、液体噴射ヘッドのノズル形成面から傾斜部材の傾斜面へと案内するガイド手段が備えられているため、液体噴射ヘッドのノズル形成面に摺接して液体を掻き取った変形状態のワイピング部材は、該ガイド手段によって案内され、液体噴射ヘッドのノズル形成面から傾斜部材の傾斜面にスムーズに移動することができる。従って、液体噴射ヘッドのノズル形成面を払拭し終わったワイピング部材は徐々に復元されるため、ノズル形成面から掻き取った液体の飛散を抑制することができる。
【００１６】
また、本発明の第二の態様は、対象物に向けてノズル開口より液滴を吐出する液体噴射ヘッドと、前記液体噴射ヘッドに対して相対移動することにより、該液体噴射ヘッドのノズル形成面を払拭するワイピング部材と、前記液体噴射ヘッド近傍であって、前記ワイピング部材との相対移動方向下流側に設けられ、該液体噴射ヘッドとワイピング部材との相対移動方向に沿って当該液体噴射ヘッドのノズル形成面より表面位置が変化する傾斜面を有する傾斜部材と、を有する液体噴射装置であって、前記傾斜部材には、相対移動方向を側視して前記液体噴射ヘッドと重複する導入部が備えられ、前記液体噴射ヘッドのノズル形成面を払拭したワイピング部材が該導入部を介して前記液体噴射ヘッドのノズル形成面から前記傾斜部材の傾斜面へと移動するように構成したことを特徴とする。
【００１７】
この特徴によれば、傾斜部材には、相対移動方向を側視して前記液体噴射ヘッドと重複する導入部が備えられ、前記液体噴射ヘッドのノズル形成面を払拭したワイピング部材が該導入部を介して前記液体噴射ヘッドのノズル形成面から前記傾斜部材の傾斜面へと移動するように構成したため、液体噴射ヘッドのノズル形成面に摺接して液体を掻き取った変形状態のワイピング部材は、ノズル形成面から傾斜部材の傾斜面へとスムーズに移動することができる。従って、液体噴射ヘッドのノズル形成面を払拭し終わったワイピング部材は徐々に復元されるため、ノズル形成面から掻き取った液体の飛散を確実に抑制することができる。
【００１８】
また、本発明の第三の態様は、請求項２において、前記導入部は、前記液体噴射ヘッドの相対移動方向下流側における当該液体噴射ヘッドの幅内において部分的に重複するように構成されていることを特徴とする。この特徴によれば、導入部が液体噴射ヘッドの相対移動方向下流側における当該液体噴射ヘッドの幅内において部分的に重複するように構成されているので、ワイピング部材が液体噴射ヘッドのノズル形成面から傾斜部材の傾斜面へと確実に移動することができる。従って、ノズル形成面から掻き取った液体の飛散を確実に抑制することができる。また、ワイピング部材の幅が液体噴射ヘッドの幅と略等しい場合においても、ワイピング部材を液体噴射ヘッドのノズル形成面から傾斜部材の傾斜面へと確実に案内することができる。
【００１９】
また、本発明の第四の態様は、請求項２または請求項３において、前記導入部は、前記液体噴射ヘッドのノズル形成面から突出しないように構成されていることを特徴とする。この特徴によれば、導入部におけるワイピング部材との不必要な接触を回避することができるので、ワイピング部材は液体噴射ヘッドのノズル形成面全面を確実に払拭することが可能である。
【００２０】
また、本発明の第五の態様は、対象物に向けてノズル開口より液滴を吐出する液体噴射ヘッドと、前記液体噴射ヘッドの外周を囲むヘッドカバーと、前記液体噴射ヘッドに対して相対移動することにより、該液体噴射ヘッドのノズル形成面を払拭するワイピング部材と、前記液体噴射ヘッド近傍であって、前記ワイピング部材との相対移動方向下流側に設けられ、該液体噴射ヘッドとワイピング部材との相対移動方向に沿って当該液体噴射ヘッドのノズル形成面より表面位置が変化する傾斜面を有する傾斜部材と、を有する液体噴射装置であって、前記液体噴射ヘッドのノズル形成面と前記傾斜部材の傾斜面とが連続的となるように連結した橋渡し部が備えられ、前記液体噴射ヘッドのノズル形成面を払拭したワイピング部材が該橋渡し部を介して前記液体噴射ヘッドのノズル形成面から前記傾斜部材の傾斜面へと移動するように構成したこと特徴とする。
【００２１】
この特徴によれば、液体噴射ヘッドのノズル形成面と前記傾斜部材の傾斜面とが連続的となるように連結した橋渡し部が備えられ、前記液体噴射ヘッドのノズル形成面を払拭したワイピング部材が該橋渡し部を介して前記液体噴射ヘッドのノズル形成面から前記傾斜部材の傾斜面へと移動するように構成したため、液体噴射ヘッドのノズル形成面に摺接して液体を掻き取った変形状態のワイピング部材は、該ノズル形成面から傾斜部材の傾斜面へとスムーズに移動することができる。従って、液体噴射ヘッドのノズル形成面を払拭し終わったワイピング部材は徐々に復元されるため、ノズル形成面から掻き取った液体の飛散を確実に抑制することができる。
【００２２】
また、本発明の第六の態様は、請求項５において、前記橋渡し部は、前記ヘッドカバーの一部を加工して構成したことを特徴とする。この特徴によれば、橋渡し部は、前記ヘッドカバーの一部を加工することにより構成できるため、その加工が容易である。また、既存の部材を使用することができるため、低コストである。
【００２３】
また、本発明の第七の態様は、請求項１から請求項６のいずれか一項において、当該液体噴射装置は、インクジェット式記録装置であることを特徴とする。この特徴によれば、インクジェット式記録装置において、請求項１から請求項６のいずれか一項に記載の作用効果が得られる。
【００２４】
【発明の実施の形態】
以下、図面に基づき本発明の実施の形態について説明する。
ここで、図１は、本発明の一実施形態に係るインクジェット式記録装置１の外観斜視図である。なおここでは、インクジェット式記録装置１の内部構成を現すために上カバーを外した状態を示している。図２は、同インクジェット式記録装置１の要部平面図であって、キャッピング装置１０の周囲を示しており、図３は図２における要部側面図である。
【００２５】
符合２で示すキャリッジは、主走査方向に延びるキャリッジガイド軸３に支持されているとともに、駆動モータ５に接続された無端ベルトから構成されるタイミングベルト６の一部が取り付けられている。そして、タイミングベルト６の駆動によってキャリッジガイド軸３に沿って主走査方向に往復移動可能に構成されている。キャリッジ２の下底部、すなわち被記録材Ｐと対向する面には記録ヘッド９が搭載され、該キャリッジ２に装着されたインクカートリッジ４からインクの供給を受けて、被記録材Ｐに向けてインク滴を吐出できるようになっている。なお、キャリッジ２には、ブラック、シアン、マゼンダ、イエローなど複数色のインクカートリッジ４を着脱自在に装着できるように構成されており、カラー印刷を実行可能となっている。符号１８は印刷領域において記録ヘッド９の対向する位置に主走査方向に長く配設されたプラテンを示し、被記録材Ｐを下から支えることによって、記録ヘッド９と被記録材Ｐとの距離を規定している。
【００２６】
非印刷領域であるキャリッジ２のホームポジション位置（図１において装置右隅）には、記録ヘッド９のノズル形成面１９を封止するキャッピング装置１０が配置されている。キャッピング装置１０は、記録ヘッド９のノズル形成面１９を封止するキャップ部材１１と、負圧発生手段としての吸引装置１２を有している。そして、キャリッジ２に搭載された記録ヘッド９がキャッピング装置１０の直上に位置したときに、記録ヘッド９に向けて上方に移動することでノズル形成面１９を封止できるように構成されている。すなわち、本実施形態においては、キャッピング装置１０のキャップ部材１１は、記録ヘッド９のノズル形成面１９に当接し、または離間できるような高さ位置変位機構を備えている。
【００２７】
また、図３に示すように、キャップ部材１１によりノズル形成面１９を封止した状態で必要に応じて吸引装置１２によってノズルに負圧を作用させて、ノズルの目詰まりや、インク流路内の気泡混入を解消できるようになっている。すなわち、キャップ部材１１が記録ヘッド９のノズル形成面１９を封止した状態で、吸引口１３を介して吸引装置１２によって負圧を作用させてインクを強制的に吸引排出させることで記録ヘッド９のクリーニングが行われる。
【００２８】
このようにキャッピング装置１０により記録ヘッド９のノズル形成面１９を封止することによって、インクジェット式記録装置１の非使用時にノズルの乾燥や塵埃の付着を防ぐことができるとともに、前記したように吸引装置１２による負圧をノズルに作用させることでインクの吸引排出処理を行うことができるようになっている。
【００２９】
キャッピング装置１０の近傍の印刷領域側には、キャリッジ２の移動に伴って記録ヘッド９のノズル形成面１９を払拭するワイピング装置２０が配置されている。
【００３０】
ワイピング装置２０は、キャリッジ２が往復移動する主走査方向と直交する方向（図３において紙面表裏方向）に水平状態を保持したまま（すなわち、高さ位置を変化させずに）移動可能なワイピング移動機構（図示せず）を備え、これにより記録ヘッド９の移動経路内の所定位置に進出し、または退避できるように構成されている。ワイピング装置２０の進退動作は、既知のワイピング移動機構により行われ、その動力源には被記録材の搬送用の紙送りモータ（図示せず）の駆動力が利用されている。そして、ワイピング装置２０が記録ヘッド９の移動経路内に進出した場合に、記録ヘッド９のノズル形成面１９を払拭する。
【００３１】
ここで、図４は本発明に係る第１の実施形態を示す要部側断面図であり、図５は図４におけるキャリッジについてワイピング装置側からみた要部平面図である。
図４に示す如く、キャリッジ２の下底部には開口部４１が形成されていて、この開口部４１に記録ヘッド９が嵌め込まれるようにして、キャリッジ２に搭載されている。記録ヘッド９の下部は、その外周をヘッドカバー１５によって囲まれており、被記録材Ｐとの不必要な接触等から保護されている。
【００３２】
また、記録ヘッド９の近傍であって、キャッピング装置１０側のキャリッジ２上には、キャリッジ２の移動方向に沿って、記録ヘッド９のノズル形成面１９よりワイピング部材２１から遠ざかるように表面位置が変化する傾斜面３２を有する傾斜部材３１が設けられている。この傾斜部材３１は、図４及び図５に示す如く、記録ヘッド９のノズル形成面１９と該傾斜部材３１の傾斜面３２との間の隙間４２を塞ぐように記録ヘッド９と重複する導入部３３を有している。
【００３３】
この傾斜部材３１の導入部３３は、図５に示す如く記録ヘッド９の一部を「コの字」状に囲んでいる。また、この導入部３３の下端部３３ａは記録ヘッド９のノズル形成面１９と略等しい高さ位置であるとともに、該ノズル形成面１９の終端部（右端部）近傍に位置するように形成されている。また、該下端部３３ａに向けて記録ヘッド９の移動方向に沿ってノズル形成面１９に近づくように形成された傾斜部３３ｂが設けられている。すなわち、図４に示す如くキャリッジ２を側視して、該導入部３３を介して、記録ヘッド９のノズル形成面１９と傾斜部材３１の傾斜面３２とが連続的となるように構成されている。なお、ノズル形成面１９全面にわたってワイピング部材２１が摺接できるようするとともに、印刷時に被記録材Ｐと干渉しないように、傾斜部材３１の導入部３３は記録ヘッド９のノズル形成面１９より下方（ワイピング部材２１側）に突出することがないように構成されている。
【００３４】
以上の構成により、キャリッジ２（記録ヘッド９）が矢印Ａ方向に移動することによって、記録ヘッド９のノズル形成面１９に摺接して変形状態のワイピング部材２１が、該ノズル形成面１９の終端部（右端部）に達する。そして、記録ヘッド９がさらに同方向に移動することによって、ワイピング部材２１は傾斜部材３１の導入部３３を介して傾斜部材３１の傾斜面３２に摺接する。導入部３３には前記傾斜部３３ｂが形成されているので、ワイピング部材２１のノズル形成面１９から傾斜面３２への移動がスムーズに行われ、当該ワイピング部材２１に衝撃やキズなどの損傷を与えることがない。
【００３５】
すなわち、記録ヘッド９のノズル形成面１９を払拭したワイピング部材２１は、記録ヘッド９と傾斜部材３１との隙間４２に落ち込むことなく、導入部３３を介して、ノズル形成面１９から傾斜面３２へと滑らかに移動する。従って、隙間４２を通過する際に、ワイピング部材２１が該隙間４２に入り込んだり、復元したりすることがほとんどなく、隙間４２の通過に伴うインクの飛散を抑制することができる。そして、ワイピング部材２１は導入部３３を介して傾斜面３２に摺接して徐々に復元されるため、ノズル形成面１９から掻き取ったインクの飛散を確実に抑制することができる。
【００３６】
また、図６及び図７に導入部に係る他の実施形態を示す。ここで、図６は、要部側断面図であり、図７は図６における要部平面図である。なお、図４及び図５と同一の構成については同一の符号を付し、説明を省略する。
【００３７】
傾斜部材３１に備えられる導入部３３は、図７に示す如く、記録ヘッド９の相対移動方向下流側における該記録ヘッド９の幅内において凹凸状に構成することができる。そして、記録ヘッド９側においても、傾斜部材３１における凹凸状の導入部３３に対応するように凸凹を構成することができる。このような構成においては、図６に示す如く、相対移動方向を側視して傾斜部材３１の導入部３３と重複するように記録ヘッド９側が形成され、互いの凹凸が対応する凸凹に入り込むことによって部分的に重複するように構成されている。なお、このような構成の導入部３３は、例えば、図７（ａ）、（ｂ）または（ｃ）に示す構造とすることができる。
【００３８】
このような構成によれば、ワイピング部材２１の幅が記録ヘッド９の幅と略等しい場合、または、被記録材搬送手段である給紙ローラ（図示せず）や排紙ローラ（図示せず）との干渉を回避する等の設計上の理由によって記録ヘッド９の幅以上に傾斜部材３１を構成できない場合においても、当該記録ヘッド９のノズル形成面１９を払拭したワイピング部材２１が、記録ヘッド９のノズル形成面１９から傾斜部材３１の傾斜面３２へとスムーズに移動することができる。
【００３９】
従って、記録ヘッド９のノズル形成面１９を払拭したワイピング部材２１は、記録ヘッド９と傾斜部材３１との隙間４２に落ち込むことなく、導入部３３を介して、ノズル形成面１９から傾斜面３２へと滑らかに移動する。つまり、隙間４２を通過する際に、ワイピング部材２１が該隙間４２に入り込んだり、復元したりすることがほとんどなく、隙間４２の通過に伴うインクの飛散を抑制することができる。そして、ワイピング部材２１は導入部３３を介して傾斜面３２に摺接して徐々に復元されるため、ノズル形成面１９から掻き取ったインクの飛散を確実に抑制することができる。
【００４０】
次に、図８は本発明に係る第２の実施形態を示す要部側断面図であり、図９は図８におけるキャリッジについてワイピング装置側からみた要部平面図である。
図８に示す如く、キャリッジ２の下底部には開口部４１が形成されていて、この開口部４１に記録ヘッド９が嵌め込まれるようにして、キャリッジ２に搭載されている。記録ヘッド９は、その外周をヘッドカバー１５によって囲まれており、被記録材Ｐとの不必要な接触等から保護されている。
【００４１】
また、記録ヘッド９の近傍であって、キャッピング装置１０側のキャリッジ２上には、キャリッジ２の移動方向に沿って、記録ヘッド９のノズル形成面１９よりワイピング部材２１から遠ざかるように表面位置が変化する傾斜面３２を有する傾斜部材３１が設けられている。
【００４２】
また、記録ヘッド９と傾斜部材３１との間には、隙間４２を埋めるように、ノズル形成面１９と傾斜面３２とが連続的となるように連結した橋渡し部１６が設けられている。本実施形態における橋渡し部１６は、ワイピング部材２１の移動経路上に位置する前記ヘッドカバー１５の一部を折り曲げ加工して構成されている。該橋渡し部１６は、記録ヘッド９のノズル形成面１９と傾斜部材３１の傾斜面３２との間で、図９（ａ）に示す如く１箇所でも、図９（ｂ）に示す如く２箇所でも、または図９（ｃ）に示す如く３箇所設けてもよく、さらに、これ以上設けることもできる。すなわち、ワイピング部材２１の移動経路上において、記録ヘッド９のノズル形成面１９と傾斜部材３１の傾斜面３２とが連続的となるように連結することによって隙間４２を塞ぎ、該隙間４２にワイピング部材２１が入り込まないように構成したものである。
【００４３】
以上の構成により、キャリッジ２（記録ヘッド９）が矢印Ａ方向に移動することによって、記録ヘッド９のノズル形成面１９に摺接して変形状態のワイピング部材２１が、該ノズル形成面１９の終端部（右端部）に達する。そして、記録ヘッド９がさらに同方向に移動することによって、ワイピング部材２１は橋渡し部１６を介して傾斜部材３１の傾斜面３２に摺接する。該橋渡し部１６は、ノズル形成面１９と傾斜面３２とが連続的となるように連結して形成されているので、ワイピング部材２１によるノズル形成面１９から傾斜面３２への移動がスムーズに行われ、該ワイピング部材２１に衝撃を与えることがない。
【００４４】
すなわち、記録ヘッド９のノズル形成面１９を払拭したワイピング部材２１は、記録ヘッド９と傾斜部材３１との隙間４２に落ち込むことなく、橋渡し部１６を介して、ノズル形成面１９から傾斜面３２へと滑らかに移動する。従って、隙間４２を通過する際に、ワイピング部材２１が該隙間４２に入り込んだり、復元したりすることがほとんどなく、隙間４２の通過に伴うインクの飛散を抑制することができる。そして、ワイピング部材２１は橋渡し部１６を介して傾斜面３２に摺接して徐々に復元されるため、ノズル形成面１９から掻き取ったインクの飛散を確実に抑制することができる。
【００４５】
【発明の効果】
以上説明したように本発明よれば、記録ヘッドのノズル形成面に摺接して変形状態となったワイピング部材が、該ノズル形成面から傾斜部材の傾斜面へとスムーズに移動するため、このノズル形成面から傾斜面への移動に際して不必要な力がワイピング部材に負荷されることがなく、掻き取ったインクの飛散を抑制することができる。
すなわち、記録ヘッドと傾斜部材との間に交差寸歩上の隙間が生じていたとしても、この隙間をワイピング部材が通過する際に、該隙間に入り込んだり復元したりすることがないので、当該隙間によるインクの飛散を確実に低減することが可能である。
【００４６】
【図面の簡単な説明】
【図１】本発明に係るインクジェット式記録装置の外観斜視図。
【図２】同インクジェット式記録装置の要部平面図。
【図３】図２における要部側面図。
【図４】本発明の第１実施形態の説明に供する要部側断面図。
【図５】図４における要部平面図。
【図６】導入部の他形態の説明に供する要部側断面図。
【図７】図６における要部平面図。
【図８】本発明の第２実施形態の説明に供する要部側断面図。
【図９】図８における要部平面図。
【図１０】従来技術の説明に供する側断面図。
【符号の説明】
１　インクジェット式記録装置、２　キャリッジ、３　キャリッジガイド軸、４　インクカートリッジ、５　駆動モータ、６　タイミングベルト、９　記録ヘッド、１０　キャッピング装置、１１　キャップ部材、１２　吸引装置、１５　ヘッドカバー、１６　橋渡し部、１８　プラテン、１９　ノズル形成面、２０　ワイピング装置、２１　ワイピング部材、２９　ホルダ、３１　傾斜部材、３２
傾斜面、３３　導入部、４１　開口部、４２　隙間、Ｐ　被記録材
【図１】
2004098477.tif 000003
【図２】
2004098477.tif 000004
【図３】
2004098477.tif 000005
【図４】
2004098477.tif 000006
【図５】
2004098477.tif 000007
【図６】
2004098477.tif 000008
【図７】
2004098477.tif 000009
【図８】
2004098477.tif 000010
【図９】
2004098477.tif 000011
【図１０】
2004098477.tif 000012